(57)【特許請求の範囲】
【請求項１】
記録素子を駆動して記録媒体上に記録を行う記録装置において、
前記記録素子を駆動させるための駆動波形の所定時間毎の波形値情報を有する駆動波形データであって、前記所定時間毎の波形値情報のうち少なくとも２つの波形値情報に当該駆動波形データの識別情報が埋め込まれた駆動波形データを取得する取得手段と、
前記駆動波形データから前記識別情報を抽出し、前記抽出した識別情報を解釈する解析手段と、
入力された波形値情報に基づいて駆動波形を生成する波形生成手段であって、前記駆動波形データの所定時間毎の波形値情報が該所定時間毎に順に入力される波形生成手段と、
前記生成された駆動波形により前記記録素子を駆動する駆動手段と、
を備えたことを特徴とする記録装置。
【請求項２】
前記識別情報は、前記所定時間毎の波形値情報のうち少なくとも先頭と末尾の波形値情報に埋め込まれていることを特徴とする請求項１に記載の記録装置。
【請求項３】
前記識別情報は、前記波形値情報のバイアス値とは異なる値の情報であることを特徴とする請求項１又は２に記載の記録装置。
【請求項４】
前記解析手段の解釈結果に基づいて、前記取得した駆動波形データが正常であるか否かを判定する判定手段と、
前記判定手段が前記取得した駆動波形データが正常でないと判定した場合に、その旨をユーザに告知する告知手段と、
を備えたことを特徴とする請求項１から３のいずれかに記載の記録装置。
【請求項５】
記録する色毎の記録素子を有するとともに、前記識別情報は前記記録素子の色情報を含み、
前記駆動手段は、前記解析手段が解釈した色情報に基づいた記録素子を駆動することを特徴とする請求項１から４のいずれかに記載の記録装置。
【請求項６】
前記識別情報は、前記駆動波形データのバージョン情報を含むことを特徴とする請求項１から５のいずれかに記載の記録装置。
【請求項７】
前記判定手段は、前記識別情報に基づいて誤り検出を行う誤り検出手段を備えたことを特徴とする請求項４に記載の記録装置。
【請求項８】
前記波形生成手段は、生成する駆動波形に前記識別情報が反映されない出力応答特性を有することを特徴とする請求項１から７のいずれかに記載の記録装置。
【請求項９】
前記記録素子の製造ばらつきを吸収するために前記駆動波形データを補正する補正手段を備えたことを特徴とする請求項１から８のいずれかに記載の記録装置。
【請求項１０】
前記識別情報を埋め込む前の波形値情報を再現させる再現手段を備えたことを特徴とする請求項１から９のいずれかに記載の記録装置。
【請求項１１】
記録素子を駆動して記録媒体上に記録を行う記録方法において、
前記記録素子を駆動させるための駆動波形の所定時間毎の波形値情報を有する駆動波形データであって、前記所定時間毎の波形値情報のうち少なくとも２つの波形値情報に当該駆動波形データの識別情報が埋め込まれた駆動波形データを取得する取得工程と、
前記駆動波形データから前記識別情報を抽出し、前記抽出した識別情報を解釈する解析工程と、
入力された波形値情報に基づいて駆動波形を生成する波形生成手段に、前記駆動波形データの所定時間毎の波形値情報を該所定時間毎に順に入力する波形生成工程と、
前記生成された駆動波形により前記記録素子を駆動する駆動工程と、
を備えたことを特徴とする記録方法。
【発明の詳細な説明】
【技術分野】
【０００１】
本発明は記録装置及び記録方法に係り、特に駆動波形データに識別データを埋め込む技術に関する。
【背景技術】
【０００２】
インクジェット方式による印刷において、外部からプリントヘッド制御基板に波形データを転送し、プリントヘッド制御基板において同波形データの定義に従ってアクチュエータへの駆動波形を生成するシステムが知られている。
【０００３】
上記のようなシステムにおいて、人的ミスにより所望の色とは異なる波形データを転送してしまう場合や、ノイズや装置不調により波形データの転送に失敗する場合がある。このような場合には、プリントヘッド制御基板が、異なる色の波形データや転送不良時の波形データ等の不正確な波形データを保持することになり、その結果、異常な駆動波形が生成されてしまうという問題点が発生する。このようなデータ転送に係る問題点を回避するためには、波形データに付加情報を紐付けし、付加情報により波形データを管理する必要がある。
【０００４】
特許文献１には、各印字データに、階調データ（１ライン分のデータ）と、階調データの色及び階調データのビット数を示すヘッダーが付加されており、同ヘッダーをプリンタ内の解析部で解釈することで、生成する駆動波形を判断する技術が記載されている。この技術によれば、色毎に階調情報が異なる印字データが含まれる場合にも印刷を実行できるようになる。
【先行技術文献】
【特許文献】
【０００５】
【特許文献１】特開２００７−２３７５２７号公報
【発明の概要】
【発明が解決しようとする課題】
【０００６】
しかしながら、特許文献１の技術では、ヘッダー付加分のデータ容量が必要となるという欠点がある。また、ヘッダーデータだけでは、波形の認識が可能となっても、ヘッダー以降のデータの確認はできないため、全データの転送が間違いなくできたか否かを確認することができない。したがって、データ転送が失敗したときに不正確な印刷を実行し、吐出部への異常負荷や損紙が発生するというリスクがある。
【０００７】
また、データ量を増やさずにデータの転送が正確に行われたか否かを検知するその他の対応策として、波形データを圧縮してヘッダーデータを付加する方法が考えられる。しかし、この場合には、処理が複雑化するというデメリットが生じる。
【０００８】
本発明はこのような事情に鑑みてなされたもので、データ量とデータ処理量を増やすことなく駆動波形を認識する記録装置及び記録方法を提供することを目的とする。
【課題を解決するための手段】
【０００９】
上記目的を達成するために請求項１に記載の記録装置は、記録素子を駆動して記録媒体上に記録を行う記録装置において、前記記録素子を駆動させるための駆動波形の所定時間毎の波形値情報を有する駆動波形データであって、前記所定時間毎の波形値情報のうち少なくとも２つの波形値情報に当該駆動波形データの識別情報が埋め込まれた駆動波形データを取得する取得手段と、前記駆動波形データから前記識別情報を抽出し、前記抽出した識別情報を解釈する解析手段と、入力された波形値情報に基づいて駆動波形を生成する波形生成手段であって、前記駆動波形データの所定時間毎の波形値情報が該所定時間毎に順に入力される波形生成手段と、前記生成された駆動波形により前記記録素子を駆動する駆動手段と、を備えたことを特徴とする。
【００１０】
請求項１に記載の発明によれば、記録素子を駆動させるための駆動波形の所定時間毎の波形値情報を有する駆動波形データであって、所定時間毎の波形値情報のうち少なくとも２つの波形値情報に当該駆動波形データの識別情報が埋め込まれた駆動波形データを取得し、駆動波形データから識別情報を抽出し、抽出した識別情報を解釈するようにしたので、データ量とデータ処理量を増やすことなく駆動波形を認識することができる。
【００１１】
請求項２に示すように請求項１に記載の記録装置において、前記識別情報は、前記所定時間毎の波形値情報のうち少なくとも先頭と末尾の波形値情報に埋め込まれていることを特徴とする。
【００１２】
これにより、適切に駆動波形を認識することができる。
【００１３】
請求項３に示すように請求項１又は２に記載の記録装置において、前記識別情報は、前記波形値情報のバイアス値とは異なる値の情報であることを特徴とする。
【００１４】
これにより、適切に駆動波形を認識することができる。
【００１５】
請求項４に示すように請求項１から３のいずれかに記載の記録装置において、前記解析手段の解釈結果に基づいて、前記取得した駆動波形データが正常であるか否かを判定する判定手段と、前記判定手段が前記取得した駆動波形データが正常でないと判定した場合に、その旨をユーザに告知する告知手段と、を備えたことを特徴とする。
【００１６】
これにより、ユーザは、駆動波形データが正常でないことを知ることができる。
【００１７】
請求項５に示すように請求項１から４のいずれかに記載の記録装置において、記録する色毎の記録素子を有するとともに、前記識別情報は前記記録素子の色情報を含み、前記駆動手段は、前記解析手段が解釈した色情報に基づいた記録素子を駆動することを特徴とする。
【００１８】
これにより、各色の記録素子に応じた駆動波形を用いることができる。
【００１９】
請求項６に示すように請求項１から５のいずれかに記載の記録装置において、前記識別情報は、前記駆動波形データのバージョン情報を含むことを特徴とする。
【００２０】
これにより、駆動波形データのバージョンを認識することができる。
【００２１】
請求項７に示すように請求項４に記載の記録装置において、前記判定手段は、前記識別情報に基づいて誤り検出を行う誤り検出手段を備えたことを特徴とする。
【００２２】
これにより、適切に取得した駆動波形データが正常であるか否かを判定することができる。
【００２３】
請求項８に示すように請求項１から７のいずれかに記載の記録装置において、前記波形生成手段は、生成する駆動波形に前記識別情報が反映されない出力応答特性を有することを特徴とする。
【００２４】
これにより、識別情報の有無に寄らずに駆動波形を生成することができる。
【００２５】
請求項９に示すように請求項１から８のいずれかに記載の記録装置において、前記記録素子の製造ばらつきを吸収するために前記駆動波形データを補正する補正手段を備えたことを特徴とする。
【００２６】
これにより、記録素子の製造ばらつきを吸収することができる。
【００２７】
請求項１０に示すように請求項１から９のいずれかに記載の記録装置において、前記識別情報を埋め込む前の波形値情報を再現させる再現手段を備えたことを特徴とする。
【００２８】
これにより、波形生成手段の応答速度が速い場合であっても、適切に駆動波形を生成することができる。
【００２９】
前記目的を達成するために請求項１１に記載の記録方法は、記録素子を駆動して記録媒体上に記録を行う記録方法において、前記記録素子を駆動させるための駆動波形の所定時間毎の波形値情報を有する駆動波形データであって、前記所定時間毎の波形値情報のうち少なくとも２つの波形値情報に当該駆動波形データの識別情報が埋め込まれた駆動波形データを取得する取得工程と、前記駆動波形データから前記識別情報を抽出し、前記抽出した識別情報を解釈する解析工程と、入力された波形値情報に基づいて駆動波形を生成する波形生成手段に、前記駆動波形データの所定時間毎の波形値情報を該所定時間毎に順に入力する波形生成工程と、前記生成された駆動波形により前記記録素子を駆動する駆動工程と、を備えたことを特徴とする。
【発明の効果】
【００３０】
本発明によれば、データ量とデータ処理量を増やすことなく駆動波形を認識することができる。
【図面の簡単な説明】
【００３１】
【図１】インクジェット描画装置の構成例を示す全体構成図
【図２】ヘッドの構造例を示す平面透視図
【図３】ヘッドの他の構造例を示す平面透視図
【図４】液滴吐出素子の立体的構成を示す断面図
【図５】インクジェット描画装置のシステム構成を示す要部ブロック図
【図６】プリント制御部２８０、ヘッドドライバ２８４、及びヘッド２５０の各部の構成の詳細を示す図
【図７】駆動波形を生成するための駆動波形データのデータ構成を示す図
【図８】駆動波形データの各アドレスを時間軸としたときのタイムチャートを示す図
【図９】駆動波形データの転送処理を示すフローチャート
【図１０】駆動波形の生成処理を示すフローチャート
【図１１】駆動波形の生成処理を示すフローチャート
【図１２】ＩＤデータの補間前後の駆動波形データのデータ構成を示す図
【発明を実施するための形態】
【００３２】
以下、添付図面に従って本発明の好ましい実施の形態について説明する。
【００３３】
＜インクジェット描画装置の構成例＞
図１は、本発明の実施形態に係るインクジェット描画装置の構成例を示す全体構成図である。同図に示すように、本例のインクジェット描画装置１００は、主として、給紙部１１２、処理液付与部（プレコート部）１１４、描画部１１６、乾燥部１１８、定着部１２０、及び排紙部１２２から構成されている。
【００３４】
インクジェット描画装置１００は、描画部１１６の圧胴（描画ドラム１７０）に保持された記録媒体１２４（以下、便宜上「用紙」と呼ぶ場合がある。）にインクジェットヘッド１７２Ｍ，１７２Ｋ，１７２Ｃ，１７２Ｙから複数色のインクを打滴して所望のカラー画像を形成するシングルパス方式のインクジェット記録装置であり、インクの打滴前に記録媒体１２４上に処理液（ここでは凝集処理液）を付与し、処理液とインク液を反応させて記録媒体１２４上に画像形成を行う２液反応（凝集）方式が適用されたオンデマンドタイプの画像形成装置である。
【００３５】
（給紙部）
給紙部１１２には、枚葉紙である記録媒体１２４が積層されており、給紙部１１２の給紙トレイ１５０から記録媒体１２４が一枚ずつ処理液付与部１１４に給紙される。記録媒体１２４として、紙種や大きさ（用紙サイズ）の異なる複数種類の記録媒体１２４を使用することができる。給紙部１１２において各種の記録媒体をそれぞれ区別して集積する複数の用紙トレイ（不図示）を備え、これら複数の用紙トレイの中から給紙トレイ１５０に送る用紙を自動で切り換える態様も可能であるし、必要に応じてオペレータが用紙トレイを選択し、若しくは交換する態様も可能である。なお、本例では、記録媒体１２４として、枚葉紙（カット紙）を用いるが、連続用紙（ロール紙）から必要なサイズに切断して給紙する構成も可能である。
【００３６】
（処理液付与部）
処理液付与部１１４は、記録媒体１２４の記録面に処理液を付与する機構である。処理液は、描画部１１６で付与されるインク中の色材（本例では顔料）を凝集させる色材凝集剤を含んでおり、この処理液とインクとが接触することによって、インクは色材と溶媒との分離が促進される。
【００３７】
処理液付与部１１４は、給紙胴１５２、処理液ドラム（「プレコート胴」とも言う）１５４、及び処理液塗布装置１５６を備えている。処理液ドラム１５４は、記録媒体１２４を保持し、回転搬送させるドラムである。処理液ドラム１５４は、その外周面に爪形状の保持手段（グリッパー）１５５を備え、この保持手段１５５の爪と処理液ドラム１５４の周面の間に記録媒体１２４を挟み込むことによって記録媒体１２４の先端を保持できるようになっている。処理液ドラム１５４は、その外周面に吸引孔を設けるとともに、吸引孔から吸引を行う吸引手段を接続してもよい。これにより記録媒体１２４を処理液ドラム１５４の周面に密着保持することができる。
【００３８】
処理液ドラム１５４の外側には、その周面に対向して処理液塗布装置１５６が設けられる。処理液塗布装置１５６は、処理液が貯留された処理液容器と、この処理液容器の処理液に一部が浸漬されたアニックスローラと、アニックスローラと処理液ドラム１５４上の記録媒体１２４に圧接されて計量後の処理液を記録媒体１２４に転移するゴムローラとで構成される。この処理液塗布装置１５６によれば、処理液を計量しながら記録媒体１２４
に塗布することができる。
【００３９】
本実施形態では、ローラによる塗布方式を適用した構成を例示したが、これに限定されず、例えば、スプレー方式、インクジェット方式などの各種方式を適用することも可能である。
【００４０】
処理液付与部１１４で処理液が付与された記録媒体１２４は、処理液ドラム１５４から中間搬送部１２６を介して描画部１１６の描画ドラム１７０へ受け渡される。
【００４１】
（描画部）
描画部１１６は、描画ドラム（「描画胴」或いは「ジェッティング胴」とも言う）１７０、用紙抑えローラ１７４、及びインクジェットヘッド１７２Ｍ，１７２Ｋ，１７２Ｃ，１７２Ｙを備えている。描画ドラム１７０は、処理液ドラム１５４と同様に、その外周面に爪形状の保持手段（グリッパー）１７１を備える。描画ドラム１７０に固定された記録媒体１２４は、記録面が外側を向くようにして搬送され、この記録面にインクジェットヘッド１７２Ｍ，１７２Ｋ，１７２Ｃ，１７２Ｙからインクが付与される。
【００４２】
インクジェットヘッド１７２Ｍ，１７２Ｋ，１７２Ｃ，１７２Ｙはそれぞれ、記録媒体１２４における画像形成領域の最大幅に対応する長さを有するフルライン型のインクジェット方式の記録ヘッド（インクジェットヘッド）であり、そのインク吐出面には、画像形成領域の全幅にわたってインク吐出用のノズルが複数配列されたノズル列（２次元配列ノズル）が形成されている。各インクジェットヘッド１７２Ｍ，１７２Ｋ，１７２Ｃ，１７２Ｙは、記録媒体１２４の搬送方向（描画ドラム１７０の回転方向）と直交する方向に延在するように設置される。
【００４３】
インクジェットヘッド１７２Ｍ、１７２Ｋ、１７２Ｃ、１７２Ｙの吐出タイミングは、描画ドラム１７０に配置された回転速度を検出するエンコーダ（不図示）に同期させる。これにより、高精度に着弾位置を決定することができる。
【００４４】
描画ドラム１７０上に密着保持された記録媒体１２４の記録面に向かって各インクジェットヘッド１７２Ｍ，１７２Ｋ，１７２Ｃ，１７２Ｙから、対応する色インクの液滴が吐出されることにより、処理液付与部１１４で予め記録面に付与された処理液にインクが接触し、インク中に分散する色材（顔料）が凝集され、色材凝集体が形成される。これにより、記録媒体１２４上での色材流れなどが防止され、記録媒体１２４の記録面に画像が形成される。
【００４５】
なお、本例では、ＭＫＣＹの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００４６】
描画部１１６で画像が形成された記録媒体１２４は、描画ドラム１７０から中間搬送部１２８を介して乾燥部１１８の乾燥ドラム１７６へ受け渡される。
【００４７】
（乾燥部）
乾燥部１１８は、色材凝集作用により分離された溶媒に含まれる水分を乾燥させる機構であり、図１に示すように、乾燥ドラム（「乾燥胴」とも言う）１７６、及び溶媒乾燥装置１７８を備えている。乾燥ドラム１７６は、処理液ドラム１５４と同様に、その外周面に爪形状の保持手段（グリッパー）１７７を備え、この保持手段１７７によって記録媒体１２４の先端を保持できるようになっている。
【００４８】
溶媒乾燥装置１７８は、乾燥ドラム１７６の外周面に対向する位置に配置され、複数のハロゲンヒータ１８０と、各ハロゲンヒータ１８０の間にそれぞれ配置された温風噴出しノズル１８２とで構成される。
【００４９】
各温風噴出しノズル１８２から記録媒体１２４に向けて吹き付けられる温風の温度と風量、各ハロゲンヒータ１８０の温度を適宜調節することにより、様々な乾燥条件を実現することができる。
【００５０】
また、乾燥ドラム１７６の表面温度は５０℃以上に設定されている。記録媒体１２４の裏面から加熱を行うことによって乾燥が促進され、定着時における画像破壊を防止することができる。なお、乾燥ドラム１７６の表面温度の上限については、特に限定されるものではないが、乾燥ドラム１７６の表面に付着したインクをクリーニングするなどのメンテナンス作業の安全性（高温による火傷防止）の観点から７５度以下（より好ましくは６０℃以下）に設定されることが好ましい。
【００５１】
乾燥ドラム１７６の外周面に、記録媒体１２４の記録面が外側を向くように（即ち、記録媒体１２４の記録面が凸側となるように湾曲させた状態で）記録媒体１２４を保持し、回転搬送しながら乾燥することで、記録媒体１２４のシワや浮きの発生を防止でき、これらに起因する乾燥ムラを確実に防止することができる。
【００５２】
乾燥部１１８で乾燥処理が行われた記録媒体１２４は、乾燥ドラム１７６から中間搬送部１３０を介して定着部１２０の定着ドラム１８４へ受け渡される。
【００５３】
（定着部）
定着部１２０は、定着ドラム（「定着胴」とも言う）１８４、ハロゲンヒータ１８６、定着ローラ１８８、及びインラインセンサ１９０で構成される。定着ドラム１８４は、処理液ドラム１５４と同様に、その外周面に爪形状の保持手段（グリッパー）１８５を備え、この保持手段１８５によって記録媒体１２４の先端を保持できるようになっている。
【００５４】
定着ドラム１８４の回転により、記録媒体１２４は記録面が外側を向くようにして搬送され、この記録面に対して、ハロゲンヒータ１８６による予備加熱と、定着ローラ１８８による定着処理と、インラインセンサ１９０による検査が行われる。
【００５５】
ハロゲンヒータ１８６は、所定の温度（例えば、１８０℃）に制御される。これにより、記録媒体１２４の予備加熱が行われる。
【００５６】
定着ローラ１８８は、乾燥させたインクを加熱加圧することによってインク中の自己分散性ポリマー微粒子を溶着し、インクを被膜化させるためのローラ部材であり、記録媒体１２４を加熱加圧するように構成される。具体的には、定着ローラ１８８は、定着ドラム１８４に対して圧接するように配置されており、定着ドラム１８４との間でニップローラを構成するようになっている。これにより、記録媒体１２４は、定着ローラ１８８と定着ドラム１８４との間に挟まれ、所定のニップ圧（例えば、０．１５ＭＰａ）でニップされ、定着処理が行われる。
【００５７】
また、定着ローラ１８８は、熱伝導性の良いアルミなどの金属パイプ内にハロゲンランプを組み込んだ加熱ローラによって構成され、所定の温度（例えば６０〜８０℃）に制御される。この加熱ローラで記録媒体１２４を加熱することによって、インクに含まれるラテックスのＴｇ温度（ガラス転移点温度）以上の熱エネルギーが付与され、ラテックス粒子が溶融される。これにより、記録媒体１２４の凹凸に押し込み定着が行われるとともに、画像表面の凹凸がレベリングされ、光沢性が得られる。
【００５８】
なお、図１の実施形態では、定着ローラ１８８を１つだけ設けた構成となっているが、画像層厚みやラテックス粒子のＴｇ特性に応じて、複数段設けた構成でもよい。
【００５９】
一方、インラインセンサ１９０は、記録媒体１２４に記録された画像（テストパターンなども含む）について、吐出不良チェックパターンや水分量、表面温度、光沢度などを計測するための計測手段であり、ＣＣＤラインセンサなどが適用される。
【００６０】
上記の如く構成された定着部１２０によれば、乾燥部１１８で形成された薄層の画像層内のラテックス粒子が定着ローラ１８８によって加熱加圧されて溶融されるので、記録媒体１２４に固定定着させることができる。また、定着ドラム１８４の表面温度は５０℃以上に設定されている。定着ドラム１８４の外周面に保持された記録媒体１２４を裏面から加熱することによって乾燥が促進され、定着時における画像破壊を防止することができるとともに、画像温度の昇温効果によって画像強度を高めることができる。
【００６１】
なお、高沸点溶媒及びポリマー微粒子（熱可塑性樹脂粒子）を含んだインクに代えて、ＵＶ露光にて重合硬化可能なモノマー成分を含有していてもよい。この場合、インクジェット描画装置１００は、ヒートローラによる熱圧定着部（定着ローラ１８８）の代わりに、記録媒体１２４上のインクにＵＶ光を露光するＵＶ露光部を備える。このように、ＵＶ硬化性樹脂などの活性光線硬化性樹脂を含んだインクを用いる場合には、加熱定着の定着ローラ１８８に代えて、ＵＶランプや紫外線ＬＤ（レーザダイオード）アレイなど、活性光線を照射する手段が設けられる。
【００６２】
（排紙部）
図１に示すように、定着部１２０に続いて排紙部１２２が設けられている。排紙部１２２は、排出トレイ１９２を備えており、この排出トレイ１９２と定着部１２０の定着ドラム１８４との間に、これらに対接するように渡し胴１９４、搬送ベルト１９６、張架ローラ１９８が設けられている。記録媒体１２４は、渡し胴１９４により搬送ベルト１９６に送られ、排出トレイ１９２に排出される。搬送ベルト１９６による用紙搬送機構の詳細は図示しないが、印刷後の記録媒体１２４は無端状の搬送ベルト１９６間に渡されたバー（不図示）のグリッパーによって用紙先端部が保持され、搬送ベルト１９６の回転によって排出トレイ１９２の上方に運ばれてくる。
【００６３】
また、図１には示されていないが、本例のインクジェット描画装置１００には、上記構成の他、各インクジェットヘッド１７２Ｍ，１７２Ｋ，１７２Ｃ，１７２Ｙにインクを供給するインク貯蔵／装填部、処理液付与部１１４に対して処理液を供給する手段を備えるとともに、各インクジェットヘッド１７２Ｍ，１７２Ｋ，１７２Ｃ，１７２Ｙのクリーニング（ノズル面のワイピング、パージ、ノズル吸引等）を行うヘッドメンテナンス部や、用紙搬送路上における記録媒体１２４の位置を検出する位置検出センサ、装置各部の温度を検出する温度センサなどを備えている。
【００６４】
＜インクジェットヘッドの構成例＞
次に、インクジェットヘッドの構造について説明する。各色に対応するインクジェットヘッド１７２Ｍ，１７２Ｋ，１７２Ｃ，１７２Ｙの構造は共通しているので、以下、これらを代表して符号２５０によってヘッドを示すものとする。
【００６５】
図２(ａ) はヘッド２５０の構造例を示す平面透視図であり、図２(ｂ)はその一部の拡大図である。また、図３はヘッド２５０の他の構造例を示す平面透視図、図４は記録素子単位となる１チャンネル分の液滴吐出素子（１つのノズル２５１に対応したインク室ユニット）の立体的構成を示す断面図（図２中のＡ−Ａ線に沿う断面図）である。
【００６６】
図２に示すように、本例のヘッド２５０は、インク吐出口であるノズル２５１と、各ノズル２５１に対応する圧力室２５２等からなる複数のインク室ユニット（液滴吐出素子）２５３をマトリクス状に２次元配置させた構造を有し、これにより、ヘッド長手方向（紙送り方向と直交する方向）に沿って並ぶように投影（正射影）される実質的なノズル間隔（投影ノズルピッチ）の高密度化を達成している。
【００６７】
記録媒体１２４の送り方向（矢印Ｓ方向）と略直交する方向（矢印Ｍ方向）に記録媒体１２４の描画領域の全幅Ｗmに対応する長さ以上のノズル列を構成する形態は本例に限定されない。例えば、図２(ａ) の構成に代えて、図３（ａ）に示すように、複数のノズル２５１が２次元に配列された短尺のヘッドモジュール２５０’を千鳥状に配列して繋ぎ合わせることで記録媒体１２４の全幅に対応する長さのノズル列を有するラインヘッドを構成する態様や、図３（ｂ）に示すように、ヘッドモジュール２５０”を一列に並べて繋ぎ合わせる態様もある。
【００６８】
なお、記録媒体１２４の全面を描画範囲とする場合に限らず、記録媒体１２４の面上の一部が描画領域となっている場合（例えば、用紙の周囲に非描画領域（余白部）を設ける場合など）には、所定の描画領域内の描画に必要なノズル列が形成されていればよい。
【００６９】
各ノズル２５１に対応して設けられている圧力室２５２は、その平面形状が概略正方形となっており（図２(ａ)、(ｂ) 参照）、対角線上の両隅部の一方にノズル２５１への流出口が設けられ、他方に供給インクの流入口（供給口）２５４が設けられている。なお、圧力室２５２の形状は、本例に限定されず、平面形状が四角形（菱形、長方形など）、五角形、六角形その他の多角形、円形、楕円形など、多様な形態があり得る。
【００７０】
図４に示すように、ヘッド２５０は、ノズル２５１が形成されたノズルプレート２５１Ａと圧力室２５２や共通流路２５５等の流路が形成された流路板２５２Ｐ等を積層接合した構造から成る。ノズルプレート２５１Ａは、ヘッド２５０のノズル面（インク吐出面）２５０Ａを構成し、各圧力室２５２にそれぞれ連通する複数のノズル２５１が２次元的に形成されている。
【００７１】
流路板２５２Ｐは、圧力室２５２の側壁部を構成するとともに、共通流路２５５から圧力室２５２にインクを導く個別供給路の絞り部（最狭窄部）としての供給口２５４を形成する流路形成部材である。なお、説明の便宜上、図４では簡略的に図示しているが、流路板２５２Ｐは一枚又は複数の基板を積層した構造である。
【００７２】
ノズルプレート２５１Ａ及び流路板２５２Ｐは、シリコンを材料として半導体製造プロセスによって所要の形状に加工することが可能である。
【００７３】
共通流路２５５はインク供給源たるインクタンク（不図示）と連通しており、インクタンクから供給されるインクは共通流路２５５を介して各圧力室２５２に供給される。
【００７４】
圧力室２５２の一部の面（図４において天面）を構成する振動板２５６には、個別電極２５７を備えたピエゾアクチュエータ２５８が接合されている。本例の振動板２５６は、ピエゾアクチュエータ２５８の下部電極に相当する共通電極２５９として機能するニッケル（Ｎｉ）導電層付きのシリコン（Ｓｉ）から成り、各圧力室２５２に対応して配置されるピエゾアクチュエータ２５８の共通電極を兼ねる。なお、樹脂などの非導電性材料によって振動板を形成する態様も可能であり、この場合は、振動板部材の表面に金属などの導電材料による共通電極層が形成される。また、ステンレス鋼（ＳＵＳ）など、金属（導電性材料）によって共通電極を兼ねる振動板を構成してもよい。
【００７５】
個別電極２５７に駆動電圧を印加することによってピエゾアクチュエータ２５８が変形して圧力室２５２の容積が変化し、これに伴う圧力変化によりノズル２５１からインクが吐出される。インク吐出後、ピエゾアクチュエータ２５８が元の状態に戻る際、共通流路２５５から供給口２５４を通って新しいインクが圧力室２５２に再充填される。
【００７６】
かかる構造を有するインク室ユニット２５３を図２（ｂ）に示す如く、主走査方向に沿う行方向及び主走査方向に対して直交しない一定の角度θを有する斜めの列方向に沿って一定の配列パターンで格子状に多数配列させることにより、本例の高密度ノズルヘッドが実現されている。かかるマトリクス配列において、副走査方向の隣接ノズル間隔をＬｓとするとき、主走査方向については実質的に各ノズル２５１が一定のピッチＰ＝Ｌｓ／tanθで直線状に配列されたものと等価的に取り扱うことができる。
【００７７】
また、本発明の実施に際してヘッド２５０におけるノズル２５１の配列形態は図示の例に限定されず、様々なノズル配置構造を適用できる。例えば、図２で説明したマトリクス配列に代えて、Ｖ字状のノズル配列、Ｖ字状配列を繰り返し単位とするジグザク状（Ｗ字状など）のような折れ線状のノズル配列なども可能である。
【００７８】
なお、インクジェットヘッドにおける各ノズルから液滴を吐出させるための吐出用の圧力（吐出エネルギー）を発生させる手段は、ピエゾアクチュエータ（圧電素子）に限らず、サーマル方式（ヒータの加熱による膜沸騰の圧力を利用してインクを吐出させる方式）におけるヒータ（加熱素子）や他の方式による各種アクチュエータなど様々な圧力発生素子（エネルギー発生素子）を適用し得る。ヘッドの吐出方式に応じて、相応のエネルギー発生素子が流路構造体に設けられる。
【００７９】
＜制御系の説明＞
図５は、インクジェット描画装置１００のシステム構成を示す要部ブロック図である。
【００８０】
インクジェット描画装置１００は、通信インターフェース２７０、システムコントローラ２７２、メモリ２７４、モータドライバ２７６、ヒータドライバ２７８、プリント制御部２８０、画像バッファメモリ２８２、ヘッドドライバ２８４等を備えている。
【００８１】
通信インターフェース２７０は、ホストコンピュータ２８６から送られてくる画像データを受信するインターフェース部である。通信インターフェース２７０にはＣＡＮ（Controller Area Network）、ＵＳＢ（Universal Serial Bus）、ＩＥＥＥ１３９４、イーサネット（登録商標）、無線ネットワーク等のシリアルインターフェースやセントロニクスなどのパラレルインターフェースを適用することができる。この部分には、通信を高速化するためのバッファメモリ（不図示）を搭載してもよい。ホストコンピュータ２８６から送出された画像データは通信インターフェース２７０を介してインクジェット描画装置１００に取り込まれ、一旦メモリ２７４に記憶される。
【００８２】
メモリ２７４は、通信インターフェース２７０を介して入力された画像を一旦格納する記憶手段であり、システムコントローラ２７２を通じてデータの読み書きが行われる。メモリ２７４は、半導体素子からなるメモリに限らず、ハードディスクなど磁気媒体を用いてもよい。
【００８３】
システムコントローラ２７２は、中央演算処理装置（ＣＰＵ）及びその周辺回路等から構成され、所定のプログラムに従ってインクジェット描画装置１００の全体を制御する制御装置として機能するとともに、各種演算を行う演算装置として機能する。即ち、システムコントローラ２７２は、通信インターフェース２７０、メモリ２７４、モータドライバ２７６、ヒータドライバ２７８等の各部を制御し、ホストコンピュータ２８６との間の通信制御、メモリ２７４の読み書き制御等を行うとともに、搬送系のモータ２８８やヒータ２８９を制御する制御信号を生成する。
【００８４】
ＲＯＭ２９０には各種制御プログラムや各種のパラメータ等が格納されており、システムコントローラ２７２の指令に応じて、制御プログラムが読み出され、実行される。
【００８５】
メモリ２７４は、画像データの一時記憶領域として利用されるとともに、プログラムの展開領域及びＣＰＵの演算作業領域としても利用される。
【００８６】
モータドライバ２７６は、システムコントローラ２７２からの指示に従ってモータ２８８を駆動するドライバである。図５では、装置内の各部に配置される様々なモータを代表して符号２８８で図示している。
【００８７】
ヒータドライバ２７８は、システムコントローラ２７２からの指示に従って、ヒータ２８９を駆動するドライバである。図５では、装置内の各部に配置される様々なヒータを代表して符号２８９で図示している。
【００８８】
プリント制御部２８０は、システムコントローラ２７２の制御に従い、メモリ２７４内の画像データから印字制御用の信号を生成するための各種加工、補正などの処理を行う信号処理機能を有し、生成した印字データ（ドット画像データ）をヘッドドライバ２８４に供給する制御部である。
【００８９】
ドット画像データは、一般に多階調の画像データに対して色変換処理、ハーフトーン処理を行って生成される。色変換処理は、ｓＲＧＢなどで表現された画像データ（例えば、ＲＧＢ各色について８ビットの画像データ）をインクジェット描画装置１００で使用するインクの各色の色データ（本例では、ＭＫＣＹの色データ）に変換する処理である。
【００９０】
ハーフトーン処理は、色変換処理により生成された各色の色データに対して誤差拡散法や閾値マトリクス等の処理で各色のドットデータ（本例では、ＭＫＣＹのドットデータ）に変換する処理である。
【００９１】
プリント制御部２８０において所要の信号処理が施され、得られたドットデータに基づいて、ヘッドドライバ２８４を介してヘッド２５０のインク液滴の吐出量や吐出タイミングの制御が行われる。これにより、所望のドットサイズやドット配置が実現される。
【００９２】
プリント制御部２８０には画像バッファメモリ２８２が備えられており、プリント制御部２８０における画像データ処理時に画像データやパラメータなどのデータが画像バッファメモリ２８２に一時的に格納される。また、プリント制御部２８０とシステムコントローラ２７２とを統合して１つのプロセッサで構成する態様も可能である。
【００９３】
ヘッドドライバ２８４には、ヘッド２５０の駆動条件を一定に保つためのフィードバック制御系を含んでいてもよい。
【００９４】
本例に示すインクジェット描画装置１００は、ヘッド２５０の各ピエゾアクチュエータ２５８に対して、共通の駆動電力波形信号を印加し、各ピエゾアクチュエータ２５８の吐出タイミングに応じて各ピエゾアクチュエータ２５８の個別電極に接続されたスイッチ素子（不図示）のオンオフを切り換えることで、各ピエゾアクチュエータ２５８に対応するノズル２５１からインクを吐出させる駆動方式が採用されている。
【００９５】
印字検出部２２４は、インクジェットヘッド１７２Ｍ，１７２Ｋ，１７２Ｃ，１７２Ｙの各ヘッドにおいて記録媒体１２４に記録された画像の読み取り、読取データの処理等を行い、所定の情報をシステムコントローラ２７２へ提供する機能ブロックである。印字検出部２２４は、図１に図示したインラインセンサ１９０が含まれる。
【００９６】
エンコーダ２７７は、描画ドラム１７０の回転速度を検出するものであり、例えば光電方式のロータリエンコーダが用いられる。システムコントローラ２７２は、エンコーダ２７７からの信号に基づいて描画ドラム１７０の回転速度を算出し、算出した回転速度に基づいて各色のインクジェットヘッド１７２Ｍ，１７２Ｋ，１７２Ｃ，１７２Ｙのノズル２５１の吐出タイミング信号を生成し、プリント制御部２８０へ供給する。プリント制御部２８０では所定パルス数の遅延をカウントして、図１に示す定着ドラム１８４のエンコーダ信号を生成する。
【００９７】
なお、図５で説明したシステムコントローラ２７２が担う処理機能の全て又は一部をホストコンピュータ２８６側に搭載する態様も可能である。
【００９８】
図６は、図５に示すプリント制御部２８０、ヘッドドライバ２８４、及びヘッド２５０の各部の構成の詳細を示す図である。
【００９９】
プリント制御部２８０は、メモリ３０２、ＰＬＤ３０４、及びＤ／Ａコンバータ３０６を備えている。メモリ３０２には、ピエゾアクチュエータ２５８を駆動するための駆動波形データが記憶されている。この駆動波形データは、ＰＬＤ３０４により順次読み出され、Ｄ／Ａコンバータ３０６によりアナログ信号に変換される。
【０１００】
ヘッドドライバ２８４は、オペアンプ３１０及びブースト回路３１２を備えている。ブースト回路３１２は、プッシュプル接続された２つのパワートランジスタ３２６、３２８からなるプッシュプル回路と、抵抗器３１８、３２０及びダイオード３２２、３２４から構成されるオペアンプ３１０の出力信号をブースト回路３１２のバイアス信号（入力信号）に変換するバイアス回路と、抵抗器３１４、３１６を含む帰還回路と、を含んでいる。
【０１０１】
プリント制御部２８０のＤ／Ａコンバータ３０６から出力されたアナログ信号は、ヘッドドライバ２８４のオペアンプ３１０に入力され、増幅される。オペアンプ３１０により増幅された信号は、ブースト回路３１２により、ピエゾアクチュエータ２５８の駆動に必要な大きな出力電流を流せるように電力増幅される。
【０１０２】
ヘッド２５０の各ピエゾアクチュエータ２５８の個別電極には、それぞれスイッチ素子３３０が接続されており、ブースト回路３１２の出力はスイッチ素子３３０を介してピエゾアクチュエータ２５８の個別電極と接続されている。
【０１０３】
スイッチ素子３３０のオンオフ切り換えは、プリント制御部２８０において生成された画像データ（ドットデータ）により行われる。
【０１０４】
スイッチ素子３３０に入力される駆動波形の吐出タイミングに応じて、各スイッチ素子３３０のオンオフを切り換えることで、各ピエゾアクチュエータ２５８に対応するノズル２５１からインクを吐出させることができる。
【０１０５】
なお、各色に対応するヘッド２５０のピエゾアクチュエータ２５８をそれぞれ異なる駆動波形で駆動する場合には、プリント制御部２８０、ヘッドドライバ２８４を色毎に設ければよい。
【０１０６】
＜第１の実施形態＞
次に、本発明の第１の実施形態に係る駆動波形データについて説明する。
【０１０７】
図７は、本実施形態に係る駆動波形を生成するための駆動波形データのデータ構成を示す図であり、図８は、当該駆動波形データのタイムチャートを示す図である。
【０１０８】
図７、図８に示すように、駆動波形データは、駆動波形の所定時間毎の波形値情報を示す１０２４個のデータからなり、各データはそれぞれ１バイトで表されている。ここでは、駆動波形のバイアス値は「０ｘ２０」で表され、駆動波形の最大値は「０ｘｄｆ」で表されている。
【０１０９】
さらに、駆動波形データには、所定の間隔で駆動波形のＩＤデータが埋め込まれている。このＩＤデータは、インクの色毎に固有の色情報からなり、１バイトで表されている。また、駆動波形（波形値情報）のバイアス値（ここでは０ｘ２０）とは異なるものが用いられる。
【０１１０】
例えば、Ｃ＝０ｘ８０、Ｍ＝０ｘ８１、Ｙ＝０ｘ８２、Ｋ＝０ｘ８３のように設定される。これらのＩＤデータの値は、駆動波形のバイアス値と異なる値であればよく、この例に限定されるものではない。
【０１１１】
ここでは、駆動波形データの先頭及び末尾、及びデータの先頭から１００個おきにＩＤデータが埋め込まれている。即ち、データの先頭から０番目、１００番目、２００番目、・・・、９００番目、１０００番目、及び１０２３番目に本駆動波形データのＩＤデータである「０ｘ８０」が記録されている。
【０１１２】
なお、ＩＤデータは、色情報ではなく駆動波形データのバージョン情報であってもよい。また、色情報とバージョン情報が混在してもよい。
【０１１３】
次に、この駆動波形データの取得処理について説明する。図９は、駆動波形データの転送処理を示すフローチャートである。
【０１１４】
最初に、ホストコンピュータ２８６において、これから転送する駆動波形データ内の所定の位置に、１バイトのＩＤデータを書き込む（ステップＳ１）。ここでは、図７に示したように、駆動波形データの先頭及び末尾、及びデータの先頭から１００個おきにＩＤデータを書き込む。ＩＤデータの書き込みは、当該所定位置にすでに存在する波形値情報に代えて、ＩＤデータを上書きすればよい。
【０１１５】
次に、ホストコンピュータ２８６は、この駆動波形データを、通信インターフェース２７０を介してプリント制御部２８０のメモリ３０２に転送（アップロード）する（ステップＳ２）。
【０１１６】
ＰＬＤ３０４は、メモリ３０２に転送（ダウンロード）された駆動波形データの所定の位置からデータ（ＩＤデータ）を読み出す（ステップＳ３）。ＰＬＤ３０４は、予め駆動波形データ内からデータを読み出す位置が決められており、ここでは、データの先頭から０番目、１００番目、２００番目、・・・、９００番目、１０００番目、及び１０２３番目のデータを読み出す。
【０１１７】
また、ＰＬＤ３０４は、ホストコンピュータ２８６から通信インターフェース２７０を介して正しいＩＤデータ及びチェックサム結果を取得する（ステップＳ４）。なお、正しいＩＤデータ及びチェックサム結果は、ホストコンピュータ２８６から取得するのではなく、予めプリント制御部２８０内に設けた参照用メモリに記憶させておいてもよい。
【０１１８】
続いて、ＰＬＤ３０４は、メモリ３０２に記憶した駆動波形データから読み出した各ＩＤデータに基づいて、色情報の確認及びチェックサムの実施を行う。この結果とホストコンピュータ２８６から取得した正しいＩＤデータ及びチェックサム結果との比較をすることで、色情報及びチェックサム結果が正しいか否かの判定を行う（ステップＳ５）。
【０１１９】
結果が正しい場合は、正しい駆動波形データの取得が完了し、処理を終了する。結果が正しくない場合は、正しい駆動波形データの取得ができていないので、結果が正しくない旨をホストコンピュータ２８６に通知して処理を終了する（ステップＳ６）。この通知が送られた場合には、ホストコンピュータ２８６は、表示を行う等により、ユーザに駆動波形データの通信にエラーが発生した旨を告知する。この場合、ユーザはもう一度駆動波形データの転送処理を最初から行う必要がある。
【０１２０】
なお、エラーが発生した旨のユーザへの告知は、ホストコンピュータ２８６が行うのではなく、インクジェット描画装置１００が直接行ってもよい。
【０１２１】
このように、読み出したＩＤデータを用いてチェックサムを実施することで、データの転送の成否判断が可能である。なお、誤り検出の手法はチェックサムに限定されず、他の手法を用いてもよい。
【０１２２】
また、ＩＤデータは、少なくとも駆動波形データの先頭と末尾（ここでは、データの０番目と１０２３番目）の２箇所に埋め込まれていればよい。この２箇所のＩＤデータがあれば、駆動波形データの全てが転送されたこと、及び駆動波形データが正常に転送できたことの確認が可能である。また、その他の位置にＩＤデータを格納する場合には、本実施形態に示した１００番目毎に限定されるものではない。
【０１２３】
次に、この駆動波形データを用いた駆動波形の生成処理について説明する。図１０は、本実施形態に係る駆動波形の生成処理を示すフローチャートである。
【０１２４】
最初に、ＰＬＤ３０４が、ホストコンピュータ２８６から通信インターフェース２７０を介して駆動するヘッド２５０の製造ばらつき補正倍率値を取得する（ステップＳ１１）。この製造ばらつき補正倍率値は、ヘッド２５０の製造ばらつきによるピエゾアクチュエータの特性のばらつきを、駆動波形において吸収するためのものである。
【０１２５】
なお、ここでは補正倍率値をホストコンピュータ２８６から取得しているが、予めプリント制御部２８０内に設けた参照用メモリに記憶させておいてもよい。
【０１２６】
次に、ＰＬＤ３０４は、メモリ３０２に保持している駆動波形データに、ステップＳ１１において取得した補正倍率値を乗算する（ステップＳ１２）。これにより、ヘッド２５０の製造ばらつきに寄らずに、それぞれのインク色に適した駆動波形を生成することができる。また、ＰＬＤ３０４は、この補正後の駆動波形データに基づいて、チェックサムを実施する。
【０１２７】
さらに、ＰＬＤ３０４は、ホストコンピュータ２８６から通信インターフェース２７０を介して補正後の正しいチェックサム結果を取得する（ステップＳ１３）。補正後の正しいチェックサム結果は、ホストコンピュータ２８６から取得するのではなく、図９のステップＳ４において取得したチェックサム結果と、ステップＳ１２において取得した補正倍率値を乗算して算出してもよい。
【０１２８】
補正倍率値を乗算した後に実施したチェックサム結果と、ステップＳ１３において取得した補正後の正しいチェックサム結果と比較することで、チェックサム結果が正しいか否かの判定を行う（ステップＳ１４）。
【０１２９】
チェックサム結果が正しくない場合には、正しい製造ばらつきの補正ができていないので、結果が正しくない旨をホストコンピュータ２８６に通知して処理を終了する（ステップＳ１５）。この通知が送られた場合には、ホストコンピュータ２８６又はインクジェット描画装置１００は、ユーザに製造ばらつきの補正処理にエラーが発生した旨を告知する。この場合、ユーザはステップＳ１１から再びやり直す必要がある。
【０１３０】
チェックサム結果が正しい場合には、補正処理後の駆動波形データをＤ／Ａコンバータ３０６によりＤ／Ａ変換し（ステップＳ１６）、ヘッドドライバ２８４により駆動波形を生成する（ステップＳ１７）。
【０１３１】
即ち、ＰＬＤ３０４により、メモリ３０２から所定の周波数で波形値データが先頭から順に読み出され、Ｄ／Ａコンバータ３０６に入力される。Ｄ／Ａコンバータ３０６は、入力されたデータを逐次アナログ信号に変換し、ヘッドドライバ２８４に入力する。その結果、ヘッドドライバ２８４では、駆動波形データの波形値データに応じた電圧の波形が生成され、各ピエゾアクチュエータ２５８の個別電極に供給可能に各スイッチ素子３３０に入力される。
【０１３２】
各スイッチ素子３３０は、出力すべき画像データに応じてオンオフされ、各ピエゾアクチュエータ２５８の駆動を制御する。その結果、画像データに応じてノズルからインクが吐出され、記録媒体上に画像が形成される。
【０１３３】
ここで、ヘッドドライバ２８４のオペアンプ３１０は、駆動波形データの転送速度（Ｄ／Ａコンバータ３０６からの出力周波数）に対して十分応答速度が遅い。したがって、駆動波形データに書き込まれているＩＤデータは、データ量が十分小さいため、駆動波形生成に影響を及ぼさない。その結果、本実施形態における駆動波形データによって生成される駆動波形は、ＩＤデータが埋め込まれていない駆動波形データを入力した場合と同じ波形となる。
【０１３４】
このように、波形値情報にＩＤデータを埋め込むことにより、データ量を増やすことなく駆動波形データの認識が可能となる。またＩＤデータを２つ以上含むため、チェックサムを実施することができ、駆動波形データの転送エラー等の検出が可能となる。さらに、波形値情報に埋め込まれたＩＤデータは、駆動波形の生成に影響を及ぼさないため、データ処理量を増やすことなく駆動波形の生成が可能となる。
【０１３５】
＜第２の実施形態＞
次に、第２の実施形態に係る駆動波形の生成処理について説明する。図１１は、本実施形態に係る駆動波形の生成処理を示すフローチャートである。なお、図１０に示すフローチャートと共通する部分には同一の符号を付し、その詳細な説明は省略する。
【０１３６】
まず、ＰＬＤ３０４が、ホストコンピュータ２８６から通信インターフェース２７０を介して駆動するヘッド２５０の製造ばらつき補正倍率値を取得し（ステップＳ１１）、メモリ３０２に保持している駆動波形データに、この補正倍率値を乗算する（ステップＳ１２）。
【０１３７】
次に、ホストコンピュータ２８６から通信インターフェース２７０を介して補正後の正しいチェックサム結果を取得し（ステップＳ１３）、チェックサム結果が正しいか否かの判定を行う（ステップＳ１４）。
【０１３８】
ここで、チェックサム結果が正しい場合には、ＰＬＤ３０４は、駆動波形データの各ＩＤデータが埋め込まれている位置の波形値データを、その前後の波形値データを用いて補間する（ステップＳ２１）。
【０１３９】
例えば、図１２（ａ）に示すように、先頭から１００番目にＩＤデータ「０ｘ８０」が記録されているとする。この場合は、その前後の波形値データである９９番目の波形値データ「０ｘ２０」と１０１番目の波形値データ「０ｘ２２」から、その中間値である「０ｘ２１」を算出し、この算出した中間値で１００番目の波形値データを補間する。
【０１４０】
また、データの先頭の０番目及び末尾の１０２３番目のデータは、前後のうち一方のデータしかないため、その一方のデータと同じ値とする。例えば、０番目の波形値データは、１番目の波形値データ「０ｘ２０」と同じ値として補間する。同様に、１０２３番目の波形値データは、１０２２番目の波形値データ「０ｘ２０」と同じ値として補間する。
【０１４１】
このように補間して算出した波形値を、ＩＤデータ上に上書きし、ＩＤデータを補間した駆動波形データを生成する（ステップＳ２２）。この補間後の駆動波形データは、補間前の駆動波形データとは区別してメモリ３０２に記憶させる。
【０１４２】
この補間後の駆動波形データをＤ／Ａコンバータ３０６によりＤ／Ａ変換し（ステップＳ１６）、ヘッドドライバ２８４により駆動波形を生成する（ステップＳ１７）。
【０１４３】
このように、ＩＤデータが埋め込まれた位置の波形値を、前後の波形値データから算出し、ＩＤデータ埋め込み前の駆動波形データを再現することで、駆動波形データのデータ量を増やすことなく、波形データの認識と補間が可能となる。また、補間後の駆動波形データを用いれば、オペアンプ３１０の応答特性が速い場合であっても、所望の駆動波形の生成を行うことができる。
【０１４４】
〔他の装置への応用例〕
上記の実施形態では、グラフィック印刷用のインクジェット記録装置への適用を例に説明したが、本発明の適用範囲はこの例に限定されない。例えば、電子回路の配線パターンを描画する配線描画装置、各種デバイスの製造装置、吐出用の機能性液体として樹脂液を用いるレジスト印刷装置、カラーフィルタ製造装置、マテリアルデポジション用の材料を用いて微細構造物を形成する微細構造物形成装置など、液状機能性材料を用いて様々な形状やパターンを得るインクジェットシステムにも広く適用できる。
【符号の説明】
【０１４５】
１００…インクジェット描画装置、２５０…インクジェットヘッド、２８０…プリント制御部、２８４…ヘッドドライバ、３０２…メモリ、３０４…ＰＬＤ、３０６…Ｄ／Ａコンバータ、３１０…オペアンプ、３１２…ブースト回路、２５８…ピエゾアクチュエータ、３３０…スイッチ素子
【図１】
0005436369.tif 000002
【図２】
0005436369.tif 000003
【図３】
0005436369.tif 000004
【図４】
0005436369.tif 000005
【図５】
0005436369.tif 000006
【図６】
0005436369.tif 000007
【図７】
0005436369.tif 000008
【図８】
0005436369.tif 000009
【図９】
0005436369.tif 000010
【図１０】
0005436369.tif 000011
【図１１】
0005436369.tif 000012
【図１２】
0005436369.tif 000013